【手続補正書】
【提出日】平成17年4月27日(2005.4.27)
【手続補正１】
【補正対象書類名】特許請求の範囲
【補正対象項目名】全文
【補正方法】変更
【補正の内容】
【特許請求の範囲】
【請求項１】
水溶液中において物質の溶解性を高める方法であって、該方法は以下を含む：
（ａ） 水溶液中に溶解させる物質を選択する工程；
（ｂ） 前記物質内に１以上の第１の酵素、及び１以上の第１の酵素のための１以上の基質を混合し、１以上の前記第１の酵素及び１以上の前記基質の組合わせは水溶液中で気体を発生することができ、該気体は水溶液中の前記物質の溶解を促進する；及び
（ｃ） 任意で、前記物質に１以上の第１の酵素の活性を調整する調整剤を混合する工程。
【請求項２】
発生する気体が酸素（Ｏ２）、二酸化炭素（ＣＯ２）、及びこれらの混合物のいずれかから選択されるものである、請求項１に記載の方法。
【請求項３】
前記物質が、洗濯用洗剤、酸中和剤、ビタミン、食器用洗剤、コンタクトレンズ洗浄剤及び入れ歯洗浄剤からなる群より選択される、請求項１に記載の方法。
【請求項４】
前記物質がさらに膨張剤を含む、請求項１に記載の方法。
【請求項５】
前記物質がさらに崩壊剤を含む、請求項１に記載の方法。
【請求項６】
１以上の第１の酵素が、カタラーゼ、アミノ酸デカルボキシラーゼ、アルコールデヒドロゲナーゼ、グルコースオキシダーゼ／カタラーゼ、炭酸脱水酵素、アミノ酸デカルボキシラーゼ、及びこれらの混合物からなる群より選択される、請求項１に記載の方法。
【請求項７】
１以上の第１の酵素が、カタラーゼ、アミノ酸デカルボキシラーゼ、アルコールデヒドロゲナーゼ、グルコースオキシダーゼ、及びこれらの混合物からなる群より選択される、請求項１に記載の方法。
【請求項８】
１以上の第１の酵素が、炭酸脱水酵素、アミノ酸デカルボキシラーゼ、及びこれらの混合物からなる群より選択される、請求項１に記載の方法。
【請求項９】
１以上の基質がアルコール、グルコース、過酸化水素、重炭酸塩、アミノ酸、過ホウ酸ナトリウム、過炭酸ナトリウム、及びこれらの混合物からなる群より選択される、請求項１に記載の方法。
【請求項１０】
１以上の第１の酵素がアルコールデヒドロゲナーゼであり、１以上の基質がアルコールである、請求項１に記載の方法。
【請求項１１】
１以上の第１の酵素がグルコースオキシダーゼであり、１以上の基質がグルコースである、請求項１に記載の方法。
【請求項１２】
１以上の第１の酵素がカタラーゼであり、１以上の基質が過酸化水素である、請求項１に記載の方法。
【請求項１３】
１以上の第１の酵素が炭酸脱水酵素であり、１以上の基質が炭酸塩である、請求項１に記載の方法。
【請求項１４】
１以上の第１の酵素がアミノ酸デカルボキシラーゼであり、１以上の基質がアミノ酸である、請求項１に記載の方法。
【請求項１５】
混合される調整剤が熱を放出して発生気体の圧力を増加させる、請求項１に記載の方法。
【請求項１６】
混合される調整剤が第２の酵素である、請求項１に記載の方法。
【請求項１７】
１以上の第１の酵素が過酸化水素カタラーゼであり、第２の酵素がプロテアーゼである、請求項１に記載の方法。
【請求項１８】
水溶液が漂白剤、及び気体発生後１以上の第１の酵素の活性を中和する混合された調整剤を含む、請求項１に記載の方法。
【請求項１９】
前記物質が粉末、タブレット、バー（ｂａｒ）または顆粒形状である、請求項１に記載の方法。
【請求項２０】
１以上の第１の酵素が第１の顆粒を含み、１以上の基質が第２の顆粒を含む、請求項１に記載の方法。
【請求項２１】
水溶液中において物質の溶解性を高める方法であって、該方法は以下を含む：
（ａ） 水溶液中に溶解させる物質を選択する工程；
（ｂ） 前記物質内に１以上の第１の酵素、及び１以上の第１の酵素のための１以上の基質を混合し、１以上の前記第１の酵素及び１以上の前記基質の組合わせは水溶液中に気体を発生することができる；
（ｃ） 任意で、前記物質に１以上の第１の酵素の活性を調整する調整剤を混合する工程；及び
（ｄ） １以上の前記第１の酵素及び１以上の前記基質の混合物により、前記物質の溶解を促進する気体が発生する条件下に前記水溶液を維持しながら、工程（ｂ）及び（ｃ）により生成した前記物質を前記水溶液中に入れる工程。
【請求項２２】
以下を含む洗剤組成物：
（ａ） １以上の界面活性剤；
（ｂ） １以上の第１の酵素；
（ｃ） 任意で、１以上の酵素の活性を調整する調整剤、及び
（ｄ） １以上の第１の酵素のための１以上の基質；
ここで、１以上の前記第１の酵素及び１以上の前記基質の組合わせは水溶液中において気体を発生することができる。
【請求項２３】
１以上の第１の酵素及び１以上の基質が均一に混合されている、請求項２２に記載の洗剤組成物。
【請求項２４】
前記組成物が粉末、タブレット、バーまたは顆粒形状である、請求項２３に記載の洗剤組成物。
【請求項２５】
粉末、タブレット、バーまたは顆粒が５重量％未満の水を含む、請求項２４に記載の洗剤組成物。
【請求項２６】
粉末、タブレット、バーまたは顆粒が耐水性バリアで個々に包装または被覆されている、請求項２５に記載の洗剤組成物。
【請求項２７】
前記洗剤が洗濯用洗剤である、請求項２６に記載の洗剤組成物。
【請求項２８】
前記洗剤が食器用洗剤である、請求項２６に記載の洗剤組成物。
【請求項２９】
調整剤が水性媒体の存在下で発熱可能である、請求項２２に記載の洗剤組成物。
【請求項３０】
１以上の第１の酵素が第１の顆粒を含み、１以上の基質が第２の顆粒を含む、請求項２２に記載の洗剤組成物。
【請求項３１】
１以上の界面活性剤及び酵素基質を含み、さらに以下を含む１以上の顆粒を含む洗剤組成物：
（ａ） 第１の酵素；
（ｂ） 任意で、第１の酵素の活性を調整する調整剤；及び
（ｃ） 洗剤組成物が水溶液中に入れられる前に、第１の酵素と酵素基質が反応するのを防止する反応バリア層；及び
ここで、第１の酵素及び基質の組合わせは水溶液中において気体を発生できる。
【請求項３２】
調整剤が１以上の第１の酵素を中和する、請求項３１に記載の洗剤組成物。
【請求項３３】
前記調整剤が、酵素、変性剤、阻害剤、酸または塩基添加剤及びこれらの混合物と競合するプロテアーゼ、金属または基質キレート剤からなる群より選択される、請求項３２に記載の洗剤組成物。
【請求項３４】
１以上の界面活性剤及び酵素基質を含み、さらに１以上の顆粒を含む洗剤組成物であって、該顆粒は以下を含む：
（ａ） 界面活性剤；
（ｂ） 第１の酵素；及び
（ｃ） 任意で、第１の酵素の活性を調整する調整剤；及び
（ｄ） 前記第１の酵素を前記酵素基質にさらすために水溶液中で溶解するバリア層であって、第１の酵素及び酵素基質の組合わせは水溶液中において気体を発生することができる。
【請求項３５】
酵素調整剤がプロテアーゼ、金属または基質キレート剤、変性剤、酸または塩基添加剤、及びこれらの組合わせからなる群より選択される、請求項３４に記載の洗剤組成物。
【請求項３６】
バリア層が約６０秒未満で液体に溶解する、請求項３４に記載の洗剤組成物。
【請求項３７】
バリア層がポリ酢酸ビニル、メチルセルロースワックス、塩化ナトリウム、スクロース、硫酸マグネシウム、硫酸アンモニウム、ヒドロキシプロピルメチルセルロース、エチルセルロース、カルボキシメチルセルロース、アカシアゴム、ポリビニルピロリドン、モノ−及びジ−グリセリド、ポリエチレングリコール、非イオン性界面活性剤、でんぷん、ヒドロキシプロピルでんぷん、ヒドロキシエチルでんぷん、及びこれらの組合わせからなる群より選択される物質から作られる、請求項３４に記載の洗剤組成物。
【請求項３８】
第１の酵素がカタラーゼ、炭酸脱水酵素、グルコースオキシダーゼ及びこれらの組合わせからなる群より選択される、請求項３１または３４に記載の洗剤組成物。
【請求項３９】
第１の酵素がカタラーゼである、請求項３１または３４に記載の洗剤組成物。
【請求項４０】
第１の酵素が炭酸脱水酵素である、請求項３１または３４に記載の洗剤組成物。
【請求項４１】
酵素基質が過ホウ酸塩または過炭酸塩、炭酸塩、グルコース及びこれらの組合わせからなる群より選択される、請求項３１または３４に記載の洗剤組成物。
【請求項４２】
酵素基質が過ホウ酸塩または過炭酸塩である、請求項４１に記載の洗剤組成物。
【請求項４３】
酵素基質が炭酸塩である、請求項４１に記載の洗剤組成物。
【請求項４４】
界面活性剤が陰イオン性界面活性剤、非イオン性界面活性剤、両性界面活性剤及びこれらの組合わせからなる群より選択される、請求項３１または３４に記載の洗剤組成物。
【請求項４５】
１以上の界面活性剤を含み、さらに１以上の顆粒を含む洗剤組成物であって、該顆粒は以下を含む：
（ａ） 酵素基質を含むコア；
（ｂ） 前記コアを取り囲む第１のバリア層；
（ｃ） 酵素と酵素基質の組合わせが水溶液中で気体を発生できるような該酵素基質と相溶性のある該酵素を含む酵素層；及び
（ｄ） 任意で、酵素層を取り囲み、水分バリア物質を含む第２のバリア層。
【請求項４６】
１以上の界面活性剤を含み、さらに１以上の顆粒を含む洗剤組成物であって、該顆粒は以下を含む：
（ａ） コア；
（ｂ） 前記コアを取り囲み、酵素と酵素基質の組合わせが水溶液中で気体を発生できるように酵素基質と相溶性のある酵素を含む第１の酵素層；
（ｃ） 第１の酵素層を取り囲む第２のバリア層；
（ｄ） 酵素基質を含む第３の酵素基質層；及び
（ｅ） 任意で、第３の酵素基質層を取り囲む保護被覆。
【請求項４７】
酵素及び基質を含んだ発泡系を含有する発泡組成物であって、消費者認識シグナルを発生するのが望ましい環境に接触すると消費者認識シグナルを発生する発泡組成物。
【請求項４８】
基質及び酵素が単一の粒子内に存在する、請求項４７に記載の発泡組成物。
【請求項４９】
発泡組成物が前記環境に接触した後、消費者認識シグナルが約０〜約５分発生する、請求項４７に記載の発泡組成物。
【請求項５０】
発泡組成物が前記環境に接触した後、消費者認識シグナルが約１秒〜約３分発生する、請求項４７に記載の発泡組成物。
【請求項５１】
発泡組成物が前記環境に接触した後、消費者認識シグナルが約１秒〜約２分発生する、請求項４７に記載の発泡組成物。
【請求項５２】
発泡組成物が前記環境に接触した後、消費者認識シグナルが約１秒〜約１５秒発生する、請求項４７に記載の発泡組成物。
【請求項５３】
消費者認識シグナルが気泡を含む、請求項４７に記載の発泡組成物。
【請求項５４】
消費者認識シグナルが泡を含む、請求項４７に記載の発泡組成物。
【請求項５５】
消費者認識シグナルが色変化を含む、請求項４７に記載の発泡組成物。
【請求項５６】
発泡組成物が酵素を含む内側コア及び基質を含む外側コアを含む、請求項４７に記載の発泡組成物。
【請求項５７】
発泡組成物がさらに内側コアと外側コアの間に位置する中間層を含み、該中間層がバリア物質を含む、請求項５６に記載の発泡組成物。
【請求項５８】
発泡組成物が基質を含む内側コア及び酵素を含む外側コアを含む、請求項４７に記載の発泡組成物。
【請求項５９】
発泡組成物がさらに内側コアと外側コアの間に位置する中間層を含み、該中間層がバリア物質を含む、請求項５８に記載の発泡組成物。
【請求項６０】
気体が酸素及び／または二酸化炭素である、請求項４７に記載の発泡組成物。
【請求項６１】
発泡組成物が洗濯用洗剤、食器用洗剤、塗装面用洗剤、トイレ用クリーナー、及びこれらの組合わせからなる群より選択される、請求項４７に記載の発泡組成物。
【請求項６２】
酵素がカタラーゼ及び／またはアミノ酸デカルボキシラーゼ、アルコールデヒドロゲナーゼ、及び／またはグルコースオキシダーゼ及び／または炭酸脱水酵素を含む、請求項４７に記載の発泡組成物。
【請求項６３】
基質が過酸化水素及び／または重炭酸塩及び／またはグルコース及び／またはアルコール及び／またはアミノ酸及び／または過ホウ酸ナトリウム及び／または過炭酸ナトリウムを含む、請求項４７に記載の発泡組成物。
【請求項６４】
前記組成物がさらに界面活性剤を含む、請求項４７に記載の発泡組成物。
【請求項６５】
前記組成物がさらに着色剤及び／または染料を含む、請求項４７に記載の発泡組成物。
【請求項６６】
ａ．請求項４７の発泡組成物；及びｂ．界面活性剤を含む洗剤組成物。
【請求項６７】
請求項４７の発泡組成物の製造方法であって、該方法は消費者認識シグナルの発生に適合した酵素及び基質の組合わせを特定する工程、及び該酵素と基質の組合わせを消費者認識シグナルの発生に適した形状に組み込む工程を含む。
【請求項６８】
前記形状が、発泡粒子と液体間の相互作用が消費者認識シグナルの発生に望ましいときまで抑制されるような形状である、請求項６７に記載の方法。
【請求項６９】
前記形状が顆粒、粒子、タブレット及びこれらの混合物からなる群より選択される、請求項６７に記載の方法。
【請求項７０】
発泡系及び／または組成物の製造方法であって、該方法は消費者認識シグナルの発生に適合した酵素及び基質組合わせを特定する工程を含む。
【請求項７１】
発泡系及び／または組成物が、衣類の柔軟剤及び／または洗浄剤、口腔衛生製品、ホームケア製品、美容ケア製品、ヘルスケア製品及びこれらの組合わせからなる群より選択される消費者製品である、請求項７０に記載の方法。
【請求項７２】
前記シグナルが消費者認識シグナルの発生が望ましい環境から物理的及び／または化学的性質の消費者が認識できる変化を含む、請求項７０に記載の方法。
【請求項７３】
消費者認識シグナルの発生方法であって、該方法は発泡系及び／または組成物を消費者認識シグナルの発生が望ましい環境に加える工程を含む。